(57)【要約】【課題】  防水扉の起倒動作に伴って防水扉側方の隙間を塞ぐようにして、防水扉側方の隙間からの浸水の防止を手間なく行える防水扉装置を提供する。【解決手段】  防水扉装置では、それぞれ倒伏状態と起立状態に起倒可能である複数の防水扉２〜４と、防水扉２〜４の隣接する側端部の少なくとも一方において、当該側端部と一体に設けられたシール部材３７，４９とを備え、防水扉３，４を、その側端部が起立状態の隣接する防水扉２，３の側端部に対して起倒方向において接近するよう、順次に起立可能とし、シール部材３７，４９を、防水扉３，４が倒伏状態であると、倒伏状態の隣接する防水扉２，３の側端部に圧接せず、防水扉３，４が起立状態であると、起立状態の隣接する防水扉２，３の側端部に対する側端部の接近によって、隣接する防水扉２，３の側端部に圧接するように配置した。【選択図】  図５
2008163638.tif 000002
【特許請求の範囲】
【請求項１】
それぞれ倒伏状態と起立状態に起倒可能である複数の防水扉と、
防水扉の隣接する側端部の少なくとも一方において、当該側端部と一体に設けられたシール部材とを備え、
防水扉を、その側端部が起立状態の隣接する防水扉の側端部に対して起倒方向において接近するよう、順次に起立可能とし、
シール部材を、
防水扉が倒伏状態であると、倒伏状態の隣接する防水扉の側端部に圧接せず、
防水扉が起立状態であると、起立状態の隣接する防水扉の側端部に対する側端部の接近によって、隣接する防水扉の側端部に圧接する
ようにした
ことを特徴とする防水扉装置。
【請求項２】
シール部材を、起倒方向に交わる面が露出するように配置し、
シール部材に隣接する防水扉の側端部に、当該露出面と対向する面を有する段部を設け、
シール部材を、段部の当該対向面に圧接するようにした
ことを特徴とする請求項１に記載の防水扉装置。
【請求項３】
防水扉を、倒伏状態で扉面が隣接する防水扉の扉面と面一であり、起立状態で扉面が隣接する防水扉の扉面に対して起倒方向へずれるように配置した
ことを特徴とする請求項１または請求項２に記載の防水扉装置。
【請求項４】
防水扉を、倒伏状態で扉面が隣接する防水扉の扉面に対して起倒方向へずれており、起立状態で扉面が隣接する防水扉の扉面と面一となるように配置した
ことを特徴とする請求項１または請求項２に記載の防水扉装置。
【請求項５】
各防水扉を、軸支部を有する腕部の周りで回転して起倒可能とし、
防水扉の軸支部を、隣接する防水扉の軸支部に対して順次に偏心させることで、防水扉の側端部を、起立状態の隣接する防水扉の側端部に対して接近するようにした
ことを特徴とする請求項１ないしは請求項４のいずれかに記載の防水扉装置。
【請求項６】
各防水扉を、リンク機構によって前後移動しながら起倒可能とし、
リンク機構を、防水扉の起立時の前方移動量が順次ずれるように設けることで、防水扉の側端部を、起立状態の隣接する防水扉の側端部に対して接近するようにした
ことを特徴とする請求項１ないしは請求項４のいずれかに記載の防水扉装置。
【請求項７】
起立状態における防水扉の下部に圧接可能な止水部材を設け、
止水部材を、起立状態における防水扉のシール部材と連続するように配置した
ことを特徴とする請求項１ないしは請求項６のいずれかに記載の防水扉装置。
【発明の詳細な説明】
【技術分野】
【０００１】
本発明は、浸水予想路面からの浸水を防止する防水扉装置に関する。
【背景技術】
【０００２】
従来の防水扉装置として、下記特許文献１に記載のものが知られている。当該防水扉装置では、複数の防水扉が配されており、起立した各防水扉間の隙間に対してパッキンを手動で押圧するシール機構が設けられている。
【０００３】
【特許文献１】特開２００５−１２０５９４号公報
【発明の開示】
【発明が解決しようとする課題】
【０００４】
上記従来の防水扉装置では、防水扉間の隙間からの浸水を防ぐことができるものの、防水扉を全て起立させた後で、各隙間についてパッキンを手動で押圧しなければならないし、倒伏前に手動で押圧を解除しなければならないため、煩わしい。
【０００５】
また、防水扉間の隙間そのものをなくすという観点からは、単一の大きな防水扉を用いることを考え得るが、このような防水扉にあっては、防水扉を起倒するための大がかりな起倒装置が必要になってしまうし、様々な設計止水幅に柔軟に対応するのに多大なコストを要してしまう。
【０００６】
そこで、請求項１に記載の発明は、防水扉の起倒動作に伴って防水扉側方の隙間を塞ぐようにして、防水扉側方の隙間からの浸水の防止を手間なく行える防水扉装置を提供することを目的としたものである。
【課題を解決するための手段】
【０００７】
上記目的を達成するために、請求項１に記載の発明は、それぞれ倒伏状態と起立状態に起倒可能である複数の防水扉と、防水扉の隣接する側端部の少なくとも一方において、当該側端部と一体に設けられたシール部材とを備え、防水扉を、その側端部が起立状態の隣接する防水扉の側端部に対して起倒方向において接近するよう、順次に起立可能とし、シール部材を、防水扉が倒伏状態であると、倒伏状態の隣接する防水扉の側端部に圧接せず、防水扉が起立状態であると、起立状態の隣接する防水扉の側端部に対する側端部の接近によって、隣接する防水扉の側端部に圧接するようにしたことを特徴とするものである。
【０００８】
請求項２に記載の発明は、上記目的に加えて、より一層止水性能を高める目的を達成するため、上記発明において、シール部材を、起倒方向に交わる面が露出するように配置し、シール部材に隣接する防水扉の側端部に、当該露出面と対向する面を有する段部を設け、シール部材を、段部の当該対向面に圧接するようにしたことを特徴とするものである。
【０００９】
請求項３に記載の発明は、上記目的に加えて、倒伏状態においてフラットな扉面を提供する目的を達成するため、上記発明において、防水扉を、倒伏状態で扉面が隣接する防水扉の扉面と面一であり、起立状態で扉面が隣接する防水扉の扉面に対して起倒方向へずれるように配置したことを特徴とするものである。
【００１０】
請求項４に記載の発明は、上記目的に加えて、起立状態においてフラットな扉面を提供する目的を達成するため、上記発明において、防水扉を、倒伏状態で扉面が隣接する防水扉の扉面に対して起倒方向へずれており、起立状態で扉面が隣接する防水扉の扉面と面一となるように配置したことを特徴とするものである。
【００１１】
請求項５に記載の発明は、上記目的に加えて、よりシンプルで防水性が高く耐久性の良好な防水扉装置を提供する目的を達成するため、上記発明において、各防水扉を、軸支部を有する腕部の周りで回転して起倒可能とし、防水扉の軸支部を、隣接する防水扉の軸支部に対して順次に偏心させることで、防水扉の側端部を、起立状態の隣接する防水扉の側端部に対して接近するようにしたことを特徴とするものである。
【００１２】
請求項６に記載の発明は、上記目的に加えて、閉鎖蓋を不要とする目的を達成するため、上記発明において、各防水扉を、リンク機構によって前後移動しながら起倒可能とし、リンク機構を各防水扉を、リンク機構によって前後移動しながら起倒可能とし、リンク機構を、防水扉の起立時の前方移動量が順次ずれるように設けることで、防水扉の側端部を、起立状態の隣接する防水扉の側端部に対して接近するようにしたことを特徴とするものである。
【００１３】
請求項７に記載の発明は、上記目的に加えて、より一層防水性能を向上する目的を達成するため、上記発明において、起立状態における防水扉の下部に圧接可能な止水部材を設け、止水部材を、起立状態における防水扉のシール部材と連続するように配置したことを特徴とするものである。
【発明の効果】
【００１４】
本発明によれば、シール部材を一体に備えた防水扉を、その側端部が起立状態の隣接する防水扉の側端部に対して起倒方向において接近するよう、順次に起立可能とし、シール部材を、防水扉が倒伏状態であると、倒伏状態の隣接する防水扉の側端部に圧接せず、防水扉が起立状態であると、起立状態の隣接する防水扉の側端部に対する側端部の接近によって、隣接する防水扉の側端部に圧接するように配置したので、防水扉の起倒動作に伴って防水扉側方の隙間を塞ぐようにして、防水扉側方の隙間からの浸水の防止を手間なく行える防水扉装置を提供することができる、という効果を奏する。
【発明を実施するための最良の形態】
【００１５】
以下、本発明の実施形態の例（第１〜第４形態及び変更例）について、適宜図面に基づいて説明する。
【００１６】
［第１形態］
図１は第１形態に係る防水扉装置１において、防水扉２，３，４が倒伏位置にある状態（倒伏状態）での平面図であり、図２は図１のＫ−Ｋ線断面図であり、図３は図１のＬ−Ｌ線断面図である。
【００１７】
防水扉装置１は、複数の（ここでは３枚の）防水扉２〜４を有する。これら防水扉２〜４は、特に後述の起立状態保持機構２０〜４０ないしはヒンジ機構５２〜５４の配置を除き同様な構成となっており、収納体５内において、図１，２の右から順に防水扉２，３，４の順で、直線状に並べられている。なお、図においては、防水扉２〜４の左右長さを短いものとしているが、一般に数倍の長さのものが使用されることが多く、それぞれの防水扉２〜４の左右長さは任意に変更可能である。また、防水扉の枚数、各防水扉の高さ（止水高さ）も任意に変更可能であるし、複数の防水扉は直線状ではなくＬ字状やコ字状等の他形状に配置可能である。
【００１８】
収納体５は、浸水の可能性がある浸水予想路の路面に設置され、ここでは、浸水が予想される、建物（駐車場等でも良い）の出入口の床面に埋設されている。なお、防水扉装置１において、前後は防水側即ち図１における右壁Ｗ１及び左壁Ｗ２側の建物側を前とする。また左右は建物側に向かって見たものとする。
【００１９】
収納体５の上部開口は、倒伏状態の各防水扉２〜４によって閉鎖される。即ち、防水扉２〜４の倒伏位置は、収納体５の上部開口に沿って当該開口を閉鎖する位置であり、収納体５の上部開口が水平であれば、防水扉２〜４が水平となる位置である。一方、収納体５の内前面には、左右のほぼ全体にわたって止水部材としてのシール材８が取り付けてあり、起立位置における各防水扉２〜４の下部は、当該シール材８に当接する。なお、防水扉２〜４の起立位置は、防水の際に固定される位置であり、倒伏位置から起立した任意の位置とすることができるが、一般には止水高さをなるべく確保するために鉛直となる位置であり、ここでもそうなっている。
【００２０】
また、収納体５の前部右端には、右端の防水扉２の端辺が起立状態において（起立時に）当接するシール材１０付きの扉枠１２が立設されている。シール材１０ないし扉枠１２は、防水扉２の高さと同様の高さを有しており、扉枠１２においてシール材１０の後面が最後方とされている。扉枠１２は、右壁Ｗ１から突出するように固定されている。一方、収納体５の前部左端には、同様に左壁Ｗ２から突出するシール材１４付きの扉枠１６が設けられている。そして、シール材１０，１４は、シール材１０の後面に対し、シール材１４の後面が前方となるように配置されており、そのずれの度合は、後述する軸支部６２〜６４の偏心（前後方向）の度合の総和と同等であって、ここでは８〜１２ミリメートル（ｍｍ）程度であるが、このずれの度合は半減することもできる。
【００２１】
更に、右側の防水扉２の倒伏状態における（倒伏時）下面（起立時では後面）の中央部と、収納体５の下面後部とにおいて、起立状態保持機構２０が連結されている。起立状態保持機構２０は、防水扉２の前記中央部に取り付けられた接続部２１と、上端縁に接続部２１との軸支部を有する支持アーム２２と、上端縁に支持アーム２２下端縁との軸支部を有し、支持アーム２２の左右外側に配置される支持アーム２４と、支持アーム２４下端縁との軸支部を有し、収納体５に固定された接続部２５を備えている。
【００２２】
同様に、中央の防水扉３には、接続部３１、支持アーム３２、支持アーム３４、接続部３５を有する起立状態保持機構３０が取り付けられており、左側の防水扉４には、接続部４１、支持アーム４２、支持アーム４４、接続部４５を有する起立状態保持機構４０が固定されている。
【００２３】
そして、接続部３５は、接続部２５に対して、後述するヒンジ機構５２，５３の軸支部６２，６３の偏心（前後方向）と同等に前方へずらされており、ここでは２〜３ｍｍ程度ずらされている。また、接続部４５は、接続部３５に対して、後述するヒンジ機構５３，５４の軸支部６３，６４の偏心（前後方向）と同等に前方へずらされており、ここではやはり２〜３ｍｍ程度ずらされている。なお、接続部３５，４５の位置をずらさないで、支持アーム３２，３４や支持アーム４２，４４の長さを長くしても良い。
【００２４】
また、右側の防水扉２の左辺縁には、その全体にわたって、側面の倒伏時上部（起立時前部）が側面の倒伏時下部（起立時後部）に対し突出して形成される段部２６が設けられており、中央の防水扉３における右辺の倒伏時下側（起立時後側）には、その全体にわたって、シール部材３７が、外側へ突出し、起倒方向に直交する面である前面が露出するように設けられている。防水扉３のシール部材３７は、防水扉２，３の倒伏時、防水扉２側端部の段部２６に隣接し、前面が段部２６の後面と平行に対向するが、段部２６に対して圧接しない。即ち、シール部材３７は、段部２６に対して離れており、あるいは弱く接触している。同様に、中央の防水扉３の左辺縁には段部３８が設けられており、左側の防水扉４の右辺にはシール部材４９が設けられている。
【００２５】
加えて、右側の防水扉２の下部の左右と、収納体５の内側下面前部における前記防水扉２の左右と対応する左右とにおいて、腕部としての一対のヒンジ機構５２が連結されている。また、中央の防水扉３において、ヒンジ機構５２と同様のヒンジ機構５３が連結されている。更に、左側の防水扉４において、ヒンジ機構５２と同様のヒンジ機構５４が連結されている。
【００２６】
ヒンジ機構５２は、防水扉２の下部と一体で、倒伏時の下斜め前方（起立時の後斜め下方）へ延びる一対の回転アーム６０と、上端縁が各回転アーム６０に挟まれ、上端縁に回転アーム６０下端縁との軸支部６２を有し、下端が収納体５の下面前部に固定される接続部６１とを備えている。同様に、ヒンジ機構５３は、回転アーム６５、軸支部６３、及び接続部６６を備えており、ヒンジ機構５４は、回転アーム６７、軸支部６４、及び接続部６８を備えている。
【００２７】
そして、ヒンジ機構５３の軸支部６３は、ヒンジ機構５２の軸支部６２に対して前方及び下方に偏心している。また、ヒンジ機構５４の軸支部６４は、ヒンジ機構５３の軸支部６３に対して前方及び下方に偏心している。ここでは、前者の偏心の度合は２〜３ｍｍ（例えば２．５ｍｍ前方へ偏心し、２．５ｍｍ下方へ偏心する）であり、後者の偏心の度合は前者の偏心の度合と同等とされている。
【００２８】
このように、ヒンジ機構５２〜５４の軸支部６２〜６４の回転軸は互いに前後及び上下方向でずれているが、防水扉２〜４の倒伏時、前辺は互いにそろっており、扉面（倒伏時上面）は互いに面一である。即ち、軸支部６２に対して軸支部６３が下方へ２．５ｍｍ偏心することで、そのままでは倒伏時に前辺が２．５ｍｍだけ後方へ偏心することになるが、前方へ軸支部６３を２．５ｍｍ偏心させることで、前辺がそろうことになる。このことは、軸支部６３，６４においても同様である。また、軸支部６２に対して軸支部６３が下方へ２．５ｍｍ偏心することで、そのままでは倒伏時に防水扉３の上面（扉面）が２．５ｍｍ低くなるところ、防水扉３の背面に対する軸支部６３の距離を２．５ｍｍ大きくすることができ、結果、防水扉３の倒伏時上面が防水扉２の倒伏時上面と同じ高さになる。このことは、軸支部６４についても同様である。なお、回転アーム６５，６７が回転アーム６０，６５に対して少し長くなっている。
【００２９】
また、次から説明するように、防水扉２〜４は起立するに従い倒伏時前辺（起立時下辺）が前下方へ移動するので、倒伏時に防水扉２〜４の前辺以前に係る収納体５の上部開口を覆い、更に起立させるため取り外し可能である閉鎖蓋７０が、防水扉２〜４ごとに設けられている。
【００３０】
図４（ａ），（ｂ），（ｃ）は、順に起立状態の防水扉２，３，４の側断面図であり、図５は、起立状態の防水扉２〜４の平面図である。右側の防水扉２は、ヒンジ機構５２によって前方へ回転され、倒伏状態から起立状態まで起倒可能である。防水扉２は、起立時、下面前部がシール材８と圧接し、上面が扉枠１２，１６の上端とそろい、前面左辺縁がシール材１０の後面と圧接し、前面と左側面とがシール材１０によりシールされる。また、起立した防水扉２の前面（倒伏時上面）は、収納体５の最前部から間隔Ａだけ離れた位置となる。人手によって起立された防水扉２は、起立状態保持機構２０によって起立状態に保持される。
【００３１】
中央の防水扉３は、右側の防水扉２と同様に起立するが、ヒンジ機構５３の軸支部６３が防水扉２のヒンジ機構５２の軸支部６２と比べて前方及び下方に偏心し、かつ軸支部６３と防水扉３の背面との距離が大きくなっているため、その分（２〜３ｍｍの２倍）だけ右側の防水扉２に対し前方へ起立し、起立した防水扉３の前面（扉面）は、収納体５の最前部から間隔Ａより小さい間隔Ｂだけ離れた位置となる。起立状態保持機構３０の接続部３５は、起立状態保持機構２０の接続部２５に対して同様に前方へずれており、かつ起立状態保持機構２０と同様の構成であるため、起立状態保持機構３０は、防水扉３が防水扉２より前方へ起立することを妨げることなく起立保持する。
【００３２】
また、中央の防水扉３は、前記偏心によりその分右側の防水扉２より前方に起立するため、防水扉３の右側端部も起立状態の防水扉２の左側端部に起倒方向においてその分接近し、防水扉３の右側端部のシール部材３７が起立状態の防水扉２における左側端部の段部２６に対してその分近づき、段部２６の起立時後面側端部（対向面）がシール部材３７の前面（露出面）と圧接し、シール部材３７が防水扉３の側面と段部２６後面とに回り込んでシールする。更に、シール部材３７の下端部がシール材８の上部に圧接し、防水扉３のシール部材３７と収納体４のシール材８とが連続する。
【００３３】
左側の防水扉４は、中央の防水扉３と同様に起立するが、ヒンジ機構５４の軸支部６４が防水扉３のヒンジ機構５３の軸支部６３と比べて前方及び下方に偏心し、かつ軸支部６４と防水扉４の背面との距離が大きくなっているため、その分（２〜３ｍｍの２倍）だけ前方へ起立し、起立した防水扉４の前面は、収納体５の最前部から間隔Ｂより小さい間隔Ｃだけ離れた位置となる。起立状態保持機構４０の接続部４５は、起立状態保持機構３０の接続部３５に対して同様に前方へずれており、かつ起立状態保持機構２０，３０と同様の構成であるため、起立状態保持機構３０は、防水扉４が防水扉３より前方へ起立することを妨げることなく起立保持する。なお、軸支部６３，６４と防水扉３，４との距離を、軸支部６２と防水扉２との距離と同じにしても良く、この場合、起立時の防水扉３，４の前方移動量が小さくなり、また倒伏時に防水扉３，４の上面に僅かな段差を生じる。
【００３４】
また、左側の防水扉４は、前記偏心によりその分中央の防水扉３より前方に起立するため、シール部材４９が起立状態の防水扉３の段部３８に対してその分近づき、段部３８の後面にシール部材４９の前面が圧接し、段部３８後面と防水扉３の右側面とがシールされる。更に、シール部材４９の下端部がシール材８の上部に圧接し、防水扉４のシール部材４９と収納体４のシール材８とが連続する。一方、防水扉４の前面左端縁は、シール材１４の後面に圧接し、防水扉４の起立時の前面（扉面）と左側面とがシールされる。
【００３５】
なお、防水扉２，３において、倒伏時前辺をそろえながら、起立時には高さがそろいつつ前面がずれるようにするため、防水扉３のヒンジ機構５３の軸支部６３が防水扉２のヒンジ機構５２の軸支部６２と比べて下方にも偏心しており、同様に防水扉３，４において、防水扉４のヒンジ機構５４の軸支部６４が防水扉３のヒンジ機構５３の軸支部６３と比べて下方にも偏心している。また、倒伏時の防水扉２，３，４の扉面が面一となるように、軸支部６３，６４と防水扉３，４の背面との距離を、軸支部６２，６３と防水扉２，３の背面との距離より大きくして、回転アーム６５，６７の長さを少しづつ長くしてある。
【００３６】
このようにして成る第１形態に係る防水扉装置１では、通常時の全倒伏状態から、次のようにして防水時の全起立状態に移行させることができる。即ち、閉鎖蓋７０を取り外した後、防水扉２，３，４の順で右から手動で起立させる。ここで、中央の防水扉３を起立させると、防水扉２に対する前方への偏心分及び軸支部６３と防水扉３の距離（起立時前後距離）を大きくした分だけ前方に起立し、中央の防水扉３の辺縁のシール部材３７が右側の防水扉２の辺縁に対して自然に圧接し、防水扉２，３の隙間の防水を自然に図ることができる。また、左側の防水扉４を起立させた場合も、辺縁のシール部材４９が中央の防水扉３の辺縁に対して自然に圧接し、防水扉３，４の隙間の防水を自然に図ることができる。
【００３７】
一方、防水扉装置１において、防水状態から通常状態に戻すには、防水扉４，３，２の順で左から手動で倒伏状態とし、各閉鎖蓋７０を取り付ける。
【００３８】
第１形態に係る防水扉装置１では、それぞれ倒伏状態と起立状態に起倒可能である複数の防水扉２〜４と、防水扉２〜４の隣接する側端部の少なくとも一方において、当該側端部と一体に設けられたシール部材３７，４９とを備え、防水扉３，４を、その側端部が起立状態の隣接する防水扉２，３の側端部に対して起倒方向において接近するよう、順次に起立可能とし、シール部材３７，４９を、防水扉３，４が倒伏状態であると、倒伏状態の隣接する防水扉２，３の側端部に圧接せず、防水扉３，４が起立状態であると、起立状態の隣接する防水扉２，３の側端部に対する側端部の接近によって、隣接する防水扉２，３の側端部に圧接するようにしたので、防水扉３，４を順次起立状態にすることで隣接する防水扉２，３との隙間をシール部材３７，４９によって水密に塞ぐことができ、防水扉２〜４の隙間を迅速に塞ぐことができるとともに、装置の構成をシンプルにして小型化することができ、製造コストや設置コストを大幅に低減することができる。しかも、通常の倒伏状態においてシール部材３７，４９が圧接しないので、長期間倒伏状態としてもシール部材３７，４９の損傷を防止することができ、シール部材３７，４９の機能を長期間保持することもできる。
【００３９】
また、防水扉装置１にあって、シール部材３７，４９を、起倒方向に交わる面が露出するように配置し、シール部材３７，４９に隣接する防水扉２，３の側端部に、当該露出面と対向する面を有する段部２６，３８を設け、シール部材３７，４９を、段部２６，３８の当該対向面に圧接するようにしたので、起立状態においてシール部材３７，４９を隣接する防水扉２，３の側端部に強く圧接させることができ、防水扉２〜４の隙間をより確実に塞ぐことができる。
【００４０】
更に、防水扉装置１では、防水扉３，４を、倒伏状態で扉面が隣接する防水扉２，３の扉面と面一であり、起立状態で扉面が隣接する防水扉２，３の扉面に対して起倒方向へずれるように配置したので、倒伏状態において防水扉２〜４の扉面を平坦にすることができ、人や自動車などの通行に配慮することができる。
【００４１】
また更に、防水扉装置１では、各防水扉２〜４を、軸支部６２〜６４を有するヒンジ機構５２〜５４の周りで回転して起倒可能とし、防水扉３，４の軸支部６３，６４を、隣接する防水扉２，３の軸支部６２，６３に対して順次に偏心させることで、防水扉３，４の側端部を、起立状態の隣接する防水扉２，３の側端部に対して接近するようにしたので、防水扉２〜４における順次の接近のための構成をよりシンプルにして製造コストを一層低減することができる。
【００４２】
加えて、防水扉装置１では、起立状態における防水扉３，４の下部に圧接可能なシール材８を設け、シール材８を、起立状態における防水扉３，４のシール部材３７，４９と連続するように配置したので、シール材８とシール部材３７，４９とによって更に確実に止水を行うことができる。
【００４３】
［第２形態］
第２形態に係る防水扉装置は、防水扉の倒伏時ないし起立時の位置以外は、第１形態に係る防水扉装置と同様に成る。図６は当該防水扉装置１０１における通常時の図２に相当する断面図であり、図７は防水扉装置１０１における防水時の防水扉１０２，１０３，１０４の平面図である。
【００４４】
防水扉装置１０１は、第１形態と同様に、シール材１１０，１１４，１１８、及び収納体１１５を有する。また、防水扉１０２は、接続部１２１、支持アーム１２２，１２４、及び接続部１２５を有する起立状態保持機構１２０、段部１２６、並びに回転アーム１６０、軸支部１６２及び接続部１６１を有するヒンジ機構１５２を備える。更に、防水扉１０３は、接続部１３１、支持アーム１３２，１３４、及び接続部１３５を有する起立状態保持機構１３０、シール部材１３７、段部１３８、並びに回転アーム１６５、軸支部１６３及び接続部１６６を有するヒンジ機構１５３を備える。加えて、防水扉１０４は、接続部１４１、支持アーム１４２，１４４、及び接続部１４５を有する起立状態保持機構１４０、シール部材１４９、並びに回転アーム１６７、軸支部１６４及び接続部１６８を有するヒンジ機構１５４を備える。
【００４５】
防水扉装置１０１では、倒伏時、防水扉１０３が防水扉１０２に対して下方にあり、そのずれの度合はここでは２〜３ｍｍである。また、防水扉１０２の段部１２６の後面と、防水扉１０３のシール部材１３７の前面は、隣接状態にあり、シール部材１３７は段部１２６に圧接していない。同様に、倒伏時、防水扉１０４が防水扉１０３に対して下方にあり、防水扉１０３の段部１３８の後面と、防水扉１０４のシール部材１４９の前面は、隣接状態にあって、シール部材１４９は段部１３８に圧接していない。
【００４６】
そして、中央の防水扉１０３に係るヒンジ機構１５３の軸支部１６３は、第１形態と同様、右側の防水扉１０２に係るヒンジ機構１５２の軸支部１６２に対して前方及び下方へ偏心しており、その偏心は倒伏時の防水扉１０２，１０３の高低差と同等である。よって、倒伏時の高低差は、防水扉１０２の起立後、防水扉１０３が相対的に前方へ起立することで解消され、防水扉１０２，１０３の起立時に扉面が面一にそろい、中央の防水扉１０３の側端部が左側の防水扉１０２の隣接側端部に対し起倒方向で近づき、左側の防水扉１０２の段部１２６に対して中央の防水扉１０３のシール部材１４９が圧接する。
【００４７】
同様に、左側の防水扉１０４のヒンジ機構１５４の軸支部１６４は、中央の防水扉１０３のヒンジ機構１５３の軸支部１６３に対して前方及び下方へ偏心しており、その偏心は倒伏時の防水扉１０３，１０４の高低差と同等であって、倒伏時の高低差は、防水扉１０３の起立後、防水扉１０４が相対的に前方へ起立することで解消され、防水扉１０４の側端部も防水扉１０３の隣接側端部に対して起倒方向で相対的に接近し、防水扉１０３，１０４の起立時に扉面が面一にそろい、中央の防水扉１０３の段部１３８に対して左側の防水扉１０４のシール部材１４９が圧接する。
【００４８】
第２形態の防水扉装置１０１では、それぞれ倒伏状態と起立状態に起倒可能である複数の防水扉１０２〜１０４と、防水扉１０２〜１０４の隣接する側端部の少なくとも一方において、当該側端部と一体に設けられたシール部材１３７，１４９とを備え、防水扉１０３，１０４を、その側端部が起立状態の隣接する防水扉１０２，１０３の側端部に対して起倒方向において接近するよう、順次に起立可能とし、シール部材１３７，１４９を、防水扉１０３，１０４が倒伏状態であると、倒伏状態の隣接する防水扉１０２，１０３の側端部に圧接せず、防水扉１０３，１０４が起立状態であると、起立状態の隣接する防水扉１０２，１０３の側端部に対する側端部の接近によって、隣接する防水扉１０２，１０３の側端部に圧接するようにしたので、防水扉１０３，１０４を順次起立状態にすることで隣接する防水扉１０２，１０３との隙間をシール部材１３７，１４９によって水密に塞ぐことができ、防水扉１０２〜１０４の隙間を迅速に塞ぐことができるとともに、装置の構成をシンプルにして小型化することができ、製造コストや設置コストを大幅に低減することができる。しかも、通常の倒伏状態においてシール部材１３７，１４９が圧接しないので、長期間倒伏状態としてもシール部材１３７，１４９の損傷を防止することができ、シール部材１３７，１４９の機能を長期間保持することもできる。
【００４９】
また、防水扉装置１０１にあって、シール部材１３７，１４９を、起倒方向に交わる面が露出するように配置し、シール部材１３７，１４９に隣接する防水扉１０２，１０３の側端部に、当該露出面と対向する面を有する段部１２６，１３８を設け、シール部材１３７，１４９を、段部１２６，１３８の当該対向面に圧接するようにしたので、起立状態においてシール部材１３７，１４９を隣接する防水扉の側端部１０２，１０３に強く圧接させることができ、防水扉１０２〜１０４の隙間をより確実に塞ぐことができる。
【００５０】
そして、防水扉装置１０１では、防水扉１０３，１０４を、倒伏状態で扉面が隣接する防水扉１０２，１０３の扉面に対して起倒方向へずれており、起立状態で扉面が隣接する防水扉１０２，１０３の扉面と面一となるように配置したので、圧接のためには十分である僅かなずれが倒伏状態で許容される環境において設置すれば、起立状態において扉面を面一にそろえることができる。
【００５１】
［第３形態］
第３形態に係る防水扉装置は、段部ないしシール部材の構成以外は、第２形態に係る防水扉装置とほぼ同様に成る。図８は第３形態に係る防水扉装置における通常時の防水扉２０２，２０３，２０４の図２の一部に相当する断面図であって、後に起立する防水扉２０３，２０４の右側面後部に、側方へ突出して起立時に前面を形成する突出片２３６，２４８がそれぞれ設けられる一方、当該前面と対向する起立時後面を持つように、先に起立する防水扉２０２，２０３における左側辺の起立時後部（倒伏時下部）にシール部材２２７，２３９がそれぞれ設けられる。
【００５２】
このような防水扉装置では、起立時に突出片２３６，２４８の前面がシール部材２２７，２３９の後面に対して圧接することで、これらの面においてシールされる。一方、通常時、シール部材２２７，２３９が防水扉２０２，２０３の左辺縁の下部にあり、当該左辺縁の上部によって上側全体を覆われる。よって、倒伏状態においてシール部材２２７，２３９の全体が保護され、シール部材２２７，２３９の耐久性を更に高めることができる。
【００５３】
［第４形態］
第４形態に係る防水扉装置は、段部ないしシール部材の構成以外は、第１形態に係る防水扉装置とほぼ同様に成る。図９は第４形態に係る防水扉装置における起立時の防水扉３０２，３０３，３０４の一部平面図であって、中央の防水扉３０３の両側部に、シール部材３３７，３３９が、側方へ突出するように設けられている。シール部材３３７，３３９の各外側面は、起立時、鉛直であり、更にシール部材３３７は、後方から前方にかけて内側へ近づくテーパ面となっており、シール部材３３９は、前方から後方にかけて内側へ近づくテーパ面となっている。
【００５４】
また、右側の防水扉３０２の左側面は、起立時にシール部材３３７の圧接する止水部３２６とされており、起立時にシール部材３３７のテーパ面に連続するようなテーパ面とされている。同様に、左側の防水扉３０４の右側面は、起立時にシール部材３３９の圧接する止水部３４８とされており、起立時にシール部材３３９のテーパ面に連続するようなテーパ面とされている。
【００５５】
このような第４形態に係るシール部材３３７，３３９の設置でも、防水扉の隙間を確実に塞ぐことができる。
【００５６】
［変更例］
なお、主に上記実施の形態を変更してなる、本発明の他の形態を例示する。防水扉の起倒を行う駆動機構を備え、自動的に起立倒伏するものとする。また、防水扉の起立状態保持機構やヒンジ機構について、図１０〜１２や、本出願人による先の出願に係る特開２００６−０７７３８９に示すように、起倒機構４０１の軸支部４０２を長孔４０４内で移動可能とする等、起倒機構やヒンジ機構の各種軸支部を適宜長孔内でスライド移動可能としたり、ヒンジ機構４１０のヒンジ部材４１２，４１３，４１４を３つ設けないしは軸支部４１５，４１６，４１７，４１８，４１９を５つ設ける等、ヒンジ機構のヒンジ部材の数ないし起倒機構やヒンジ機構の軸支部を増やしたりして形成したリンク機構４００（先の出願では起倒装置）とし、リンク機構４００を、各防水扉に対して、起立時の前方移動量が順次ずれるように設置することで、倒伏時に収納体４２５の上部開口全体を覆いながら、起立時に側端部が隣接する防水扉の側端部に対して接近し、かつ扉面下部がシール材４２８に当接するようにして、閉鎖蓋を不要とする。
【００５７】
防水扉の起立時の相対的な前方移動を、ヒンジ機構の回転軸の偏心ではなく、ヒンジ機構の各種アームの長短差により実行する。あるいは、回転軸の偏心とアームの長短差を合わせて相対的前方移動を実行する。ヒンジ機構の回転軸の偏心を、前後方向のみとし、あるいは上下方向のみとする。各種偏心やずれの度合を適宜変更する。
【図面の簡単な説明】
【００５８】
【図１】本発明の第１形態に係る防水扉装置の、倒伏状態での平面図である。
【図２】図１のＫ−Ｋ線断面図である。
【図３】図１のＬ−Ｌ線断面図である。
【図４】（ａ），（ｂ），（ｃ）は、順に起立状態における右側，中央，左側に係る防水扉の側断面図である。
【図５】起立状態の各防水扉の平面図である。
【図６】本発明の第２形態に係る防水扉装置の、図２相当図である。
【図７】起立状態の各防水扉の平面図である。
【図８】本発明の第３形態に係る防水扉装置の、図２一部相当図である。
【図９】本発明の第４形態に係る防水扉装置の、起立状態の防水扉の一部平面図である。
【図１０】本発明の変更例に係る防水扉装置の、倒伏状態におけるリンク機構の側断面図である。
【図１１】リンク機構の起倒中の側断面図である。
【図１２】起立状態におけるリンク機構の側断面図である。
【符号の説明】
【００５９】
１，１０１    防水扉装置
２〜４，１０２〜１０４，２０２〜２０４，３０２〜３０４    防水扉
８    シール材（止水部材）
２６，３８，１２６，１３８    段部
３７，４９，１３７，１４９    シール部材
５２〜５４，１５２〜１５４    ヒンジ機構（腕部）
６２〜６４，１６２〜１６４    軸支部
【図１】
2008163638.tif 000003
【図２】
2008163638.tif 000004
【図３】
2008163638.tif 000005
【図４】
2008163638.tif 000006
【図５】
2008163638.tif 000007
【図６】
2008163638.tif 000008
【図７】
2008163638.tif 000009
【図８】
2008163638.tif 000010
【図９】
2008163638.tif 000011
【図１０】
2008163638.tif 000012
【図１１】
2008163638.tif 000013
【図１２】
2008163638.tif 000014